(57)【特許請求の範囲】
【請求項１】
櫛刃と棒刃とを備えたヘアカット用すきバサミにおいて、
前記櫛刃は、多数の切込みが間隔を開けて設けられており、当該切込みと切込みとの間に歯を有しており、
さらに、前記櫛刃は、前記棒刃よりも長く、その先端が角丸め処理されており、当該先端は１ｍｍ以下の幅の歯になっており、当該歯の先端には凹部が設けられており、
前記櫛刃の先端を頭皮に当てて髪の毛の生えている向きに向けて移動させながら使うことにより、頭皮に沿うように他とは異なる向きに生えている癖毛を前記凹部に捕らえて切ることができることを特徴とするすきバサミ。
【請求項２】
前記櫛刃の歯は、当該櫛刃の長手方向に直交する向きの先端断面が矩形で、前記櫛刃と前記棒刃との間に挟んだ髪の毛を剪断する請求項１に記載のすきバサミ。
【請求項３】
前記棒刃の先端が角丸め処理されている請求項１又は請求項２に記載のすきバサミ。
【請求項４】
前記櫛刃の先端の歯の部分に向かい合う前記棒刃の先端部分の断面が矩形になっている、請求項３に記載のすきバサミ。
【発明の詳細な説明】
【技術分野】
【０００１】
本発明は、理容室、美容室で用いられるすきバサミに関する。
【背景技術】
【０００２】
すきバサミ５０は、図１１に示すように、櫛刃５１及び棒刃５２を有しており、この２つの刃によって挟んだものを剪断する手動利器である。櫛刃５１には多数の切込みが間隔を開けて設けられている。すきバサミ５０は、切込みと切込みとの間に形成されている歯と呼ばれている部分５３の先端と棒刃５２との間に挟んだ毛を剪断し、切込みの部分に入った毛は切らないようになっており、これにより髪の毛を間引くようにカットする。一般のすきバサミ５０は、基準線５４を見れば解るように棒刃５２の方が櫛刃５１よりも長く、又は図示していないが同じ長さになっている。また、櫛刃５１及び棒刃５２の互いに向き合う刃の先端５５，５６は、コーナー角が略９０度で鋭利に形成されている。
【０００３】
図１２に示すように、すきバサミ５０で髪の毛をカットする場合、束にした髪の毛６０に交差する向きからすきバサミ５０を入れて剪断動作を行っていた。この際、すきバサミ５０は、棒刃５２を下側にして使用されることが多い。櫛刃５１よりも受け側の棒刃５２が長くなっているものが多いのはこの理由によると考えられる。このカット法では、すきバサミ５０の先端が頭皮に当たることが無いため、棒刃５２の先端部分の鋭利さや長さが問題となることは特になかった。
【先行技術文献】
【特許文献】
【０００４】
【特許文献１】特開平８−９８９６３号公報
【発明の概要】
【発明が解決しようとする課題】
【０００５】
従来のすきバサミ５０を用いて行う図１２に示すようなカット方法では、髪の中に混ざっている癖毛をターゲットとすることは難しかった。
白髪切り取り用のはさみも提案されているが、このはさみは、目視確認された白髪を一本ごと丁寧に切り取るために提案された形状となっており、癖毛を効率よくカットするものでは無い（特開２０１０−２５９４７６号公報を参照）。
本発明は、上記問題を解決するためになされたものであり、髪の毛の束の中に混ざっている癖毛、そして、頭皮から他の毛とは違う向きに生えている癖毛を効率よく間引くことができるすきバサミを提供することを目的とする。
【課題を解決するための手段】
【０００６】
上記目的を達成するために本発明は、櫛刃と棒刃とを備えたヘアカット用すきバサミにおいて、前記櫛刃は、多数の切込みが間隔を開けて設けられており、当該切込みと切込みとの間に歯を有しており、さらに、前記櫛刃は、前記棒刃よりも長く、その先端が角丸め処理されており、当該先端は１ｍｍ以下の幅の歯になっており、当該歯の先端には凹部が設けられており、前記櫛刃の先端を頭皮に当てて髪の毛の生えている向きに向けて移動させながら使うことにより、頭皮に沿うように他とは異なる向きに生えている癖毛を前記凹部に捕らえて切ることができることを特徴とする。
【０００７】
前記櫛刃の歯は、当該櫛刃の長手方向に直交する向きの先端断面が矩形で、前記櫛刃と前記棒刃との間に挟んだ髪の毛を剪断することが好ましい。
【０００８】
前記棒刃の先端が角丸め処理されていることが好ましい。
【０００９】
前記櫛刃の先端の歯の部分に向かい合う前記棒刃の先端部分の断面が矩形になっていることが好ましい。
【発明の効果】
【００１０】
本発明によれば、櫛刃の先端を頭皮に当て、櫛刃を髪の毛の生えている向きに向けて移動させつつヘアカットすることによって、癖毛を効率よく間引くことができる全く新たなカット法を安全に実施することができる。
【図面の簡単な説明】
【００１１】
【図１】本発明の実施の形態に係るすきバサミの正面図。
【図２】すきバサミの先端部分の拡大図で、（ａ）は閉じる直前の状態、（ｂ）は完全に閉じた状態を示す。
【図３】（ａ）はすきバサミが閉じる直前の状態を示し、（ｂ）は（ａ）のＡ−Ａ’断面図を示す。
【図４】すきバサミを頭皮に当てて、髪の生えている向きにスライド移動させながらカットしている状態を示す写真。
【図５】図４で行われているカットの様子の解説図。
【図６】（ａ）は本実施形態に係るすきバサミを頭皮に当てた状態の説明図、（ｂ）は従来のすきバサミを頭皮に当てた状態の説明図。
【図７】髪を束にして持ち上げ、髪の生えている向きにスライド移動させながらカットしている状態を示す写真。
【図８】図７で行われているカットの様子の解説図。
【図９】すきバサミの棒刃の改良例を示し、（ａ）はすきバサミが閉じる直前の状態を示し、（ｂ）は（ａ）のＢ−Ｂ’矢視図、（ｃ）は（ａ）のＣ−Ｃ’断面図、（ｄ）は（ａ）のＤ−Ｄ’断面図。
【図１０】すきバサミの櫛刃の歯の改良例の３面図。
【図１１】従来のすきバサミの正面図。
【図１２】従来のすきバサミの使用例を示す写真。
【発明を実施するための形態】
【００１２】
本発明のすきバサミは、ヘアカット用すきバサミにおいて、櫛刃は棒刃よりも長く、先端が角丸め処理されており、好ましくは、棒刃の先端も角丸め処理されている。より好ましくは、櫛刃の先端にある歯はその幅が頭皮に沿うように他とは異なる向きに生えている癖毛をすくい上げれるように、１ｍｍ以下の幅に設定する。当該構成のすきバサミは、櫛刃の先端を頭皮に当て、櫛刃を髪の毛の生えている向きに向けて移動させつ、頭皮を傷つけること無く安全にヘアカットすることができる。
【００１３】
図１に示すように、すきバサミ１は、櫛刃２と棒刃３とを有しており、この２つの刃によって挟んだものを剪断する手動利器である。櫛刃２は、多数の切込み４が間隔を開けて設けられており、切込みと切込みとの間に形成されている歯５が櫛の働きをするようになっている。棒刃３は略直線状に伸びている切断刃で、刃先部分の断面は鋭角になっている。すきバサミ１は、歯５と棒刃３との間に挟んだ髪の毛を剪断し、切込み４の部分に入った髪の毛を切らないようになっており、これにより髪の毛を間引くようにカットする。
【００１４】
櫛刃２は、基準線２０を見れば解るように棒刃３よりも長く、また、その先端が角丸め処理されている。本明細書において、角丸め処理とは、頭皮に当てられる先端部分に角張っている部分が無いように丸みをつける処理をいう。具体的には、図１に示すように、櫛刃２の先端を円弧状に丸く面取りし、さらに、この先端部分について、図１において垂直方向にある櫛刃２のエッジ部分の角を頭皮を傷つけないように（Rは小さいが）丸く滑らかに面取り処理することをいう。棒刃３の先端部分も同様に角丸め処理を施してある。
【００１５】
櫛刃２を棒刃３より長くし、その先端を角丸め処理したことによって、櫛刃２の先端部分を頭皮に当て、櫛刃２を髪の毛の生えている向きに向けて移動させても、頭皮を傷つけることなく櫛通りを悪くしているような癖毛を、他の髪の毛を傷つけることなく間引くことができる（図５、図６（ａ）を参照）。棒刃３の先端を角丸め処理したことによって、櫛刃２を傾けすぎた場合、または強く頭皮に押し当ててしまい、その先が食い込んだ場合に、頭皮を櫛刃２及び棒刃３の間に挟んでも、頭皮を傷付けることを防ぐことができる。
【００１６】
従来のすきバサミ５０（図１１を参照）では、棒刃５２の方が櫛刃５１よりも長く、櫛刃５１及び棒刃５２の先端５５、５６が鋭利になっている。従来のすきバサミ５０を用いて前記カット法を行うには、頭皮を傷つけないように、使う人に高度の技能を要求する。しかし、すきバサミ１を用いれば、誰もが安全にこのカット法を実施できるという技術的に顕著な効果が認められる。
【００１７】
図２（ａ）に示すように、櫛刃２の歯５は、先端が半円状の凸形状になっている。この凸形状の最も先端の部分には、髪の毛１〜２本、好ましくは１本が入るサイズ、例えば幅０．１ｍｍ〜０．３ｍｍ前後の凹部６が設けられている。図２（ｂ）に示すように、すきバサミを完全に閉じても櫛刃２の切込みの最深部分７にまで棒刃３は届かない。
【００１８】
図３（ａ）（ｂ）に示すように、櫛刃２の歯５は、櫛刃２の長手方向に直交する向きの先端断面（Ａ−Ａ’断面）が矩形で、歯５、より詳しくは凹部６と、棒刃３との間に挟んだ髪の毛を剪断する。断面が矩形、即ち先端部が鋭利になっていないため、櫛刃２を、頭皮に沿うように伸びている癖毛を起こすため、文字通り櫛として用いても、髪の毛を傷つけることが無い。歯の幅Ｗ１は、頭皮に沿うように他とは異なる向きに生えている癖毛を上手くすくい上げれるように１ｍｍ以下が好ましい。また、厚みＴ１は０．５ｍｍ以下が好ましい。特に、すきバサミ１は櫛刃２を頭皮に当てて用いるが、髪の毛の量を考慮すると、先端にある歯５ａから３〜４番目にある歯５までが実際に癖毛を間引くようにカットする。このため、従来のすきバサミ５０（図１１を参照）とは異なり、図３（ａ）に示すように、櫛刃２の先端にある歯５ａにも凹部６を設ける。これにより、生え際の近くで癖毛をカットすることができる。歯５ａの先端部分の幅Ｗ２は、櫛刃２の先端が角丸め処理された形状という条件を満たす限りにおいて、他の歯５の幅Ｗ１と同様に１ｍｍ以下にすることが望ましい。
【００１９】
図４、図５に示すように、上記構成のすきバサミ１は、櫛刃２の先端部分を頭皮に当て、櫛刃２を髪の毛の生えている向き（図５の矢印２１）に向けて移動させながら使う。このカット法を実施することにより、櫛刃２を櫛として使用し、同時に、頭皮に沿うように生えており、櫛通りを悪くしている癖毛（図５の矢印２２、２３で示す）を、歯５（先端の歯５ａを含む。以下同じ）の凹部６に捕らえてカットすることができる。すきバサミ１は、櫛刃２の長手方向全てに渡って歯５を設けてあるので、従来のすきバサミ５０の代わりに使うことが当然できる（図１２を参照）。
【００２０】
図６（ａ）に示すようにすきバサミ１の櫛刃２の先端は角丸め処理が施されているので、頭皮に当てても傷をつける恐れは少ない。これに比べて、図６（ｂ）に示すように従来のすきバサミの櫛刃５１を頭皮に当て、スライド移動させると頭皮を傷つける恐れがある。このように、すきバサミ１は櫛刃２を頭皮に当てて用いるのに安全な構造となっている。
【００２１】
図７、図８に示すように、髪を束にして持ち上げ、髪の生えている向き（図８の矢印２４）にすきバサミ１をスライド移動させながらカットすることもできる。この場合、束ねた髪の中にある櫛通りを悪くしている癖毛（図８の矢印２５、２６で示す）を歯５の凹部６で捕らえて効率よくカットすることができる。
【００２２】
前述したように、棒刃３の先端部分は角丸め処理が施されているが、はさみが髪の毛を剪断力によってカットするという原理と、裁断機（ペーパーカッター）の構造と、そして、櫛刃２の歯５に捕らえられた１〜２本の髪の毛をカットするという要件と、に着目すれば、図９（ｂ）（ｃ）に示すように、棒刃３の先端部分３ａも櫛刃２と同様に矩形にしてもよい。当該構成を採用すことによって、櫛刃２の先端の歯５と棒刃３との間に頭皮を挟んだ場合に、頭皮を傷つける、というリスクを大幅に低減することができる。この他、棒刃３の先端から、櫛刃２の先端の歯５と棒刃３との接点の直前の箇所までの、当該棒刃３の刃先を矩形にしてもよい。この場合、棒刃３が頭皮を直接こすった場合に傷をつけることを防ぐことができる。
【００２３】
さらには、図１０に示すように、櫛刃２の歯５の改良例として歯８を用いてもよい。歯８は、歯の幅方向に沿って傾斜した山型、好ましくは図示するような正規分布曲線に近似する形状を有し、傾斜部分に２つ以上の凹部９を設けた構成を採用する。歯8の先端部分の両端、図10では凹部9の両外側の部分は角丸め処理を施してある。当該構成の歯８は、その先端が頭皮に刺さる程ではないが歯５に比べれば尖っているので、癖毛をすくい上げる能力が高く、また、その凹部９が、前記すくい上げた癖毛を効率よく捕らえることができる。
【００２４】
なお、本発明は、上記各種実施形態の構成に限られず、発明の趣旨を変更しない範囲で種々の変形が可能である。例えば、歯５は直線状に伸びているが、はさみとしての剪断動作に伴い、櫛刃２の移動する軌跡に合わせて円弧状に伸びる形状を採用してもよい。これにより、歯５の先端の凹部６で癖毛を捕らえる確率を良くすることができる。
【産業上の利用可能性】
【００２５】
本発明のすきバサミは、美容及び理容室で使用されることを想定しているが、発明の本質を考慮すれば、使用対象は人に限られない。本発明のすきバサミは、犬等の動物の毛をカットする手動利器として使用することができる。従って、本明細書において、ヘアカットの語は、人の髪の毛のカットを例に挙げて説明したが、犬等の動物の毛をカットする意味を含むものとする。
【符号の説明】
【００２６】
１、５０  すきバサミ
２、５１  櫛刃
３、５２  棒刃
４        切込み
５、５ａ、８    歯
６、９    凹部
７        切込みの最深部分
【要約】
【課題】頭皮に沿うように生えている癖毛、或いは髪の束の中で櫛通りを悪くしている癖毛をカットするのに好適なすきバサミを提供する。
【解決手段】本発明のすきバサミは、櫛刃と棒刃とを備えたヘアカット用すきバサミにおいて、前記櫛刃は、前記棒刃よりも長く、その先端が角丸め処理されている、ことを特徴とする。当該構成を採用することにより、櫛刃２の先端部分を頭皮に当て、櫛刃２を髪の毛の生えている向きに向けて移動させても、頭皮を傷つけずに、櫛通りを悪くしているような癖毛を効率よく間引くことができる。
【選択図】図１【図１】
0005950379.tif 000002
【図２】
0005950379.tif 000003
【図３】
0005950379.tif 000004
【図５】
0005950379.tif 000005
【図６】
0005950379.tif 000006
【図８】
0005950379.tif 000007
【図９】
0005950379.tif 000008
【図１０】
0005950379.tif 000009
【図１１】
0005950379.tif 000010
【図１２】
0005950379.tif 000011
【図４】
0005950379.tif 000012
【図７】
0005950379.tif 000013